(57)【要約】【課題】  複数端末に対するデータ配信を効率よく行うことを可能にする通信機、通信システム、通信方法、およびプログラムを実現する。【解決手段】  配信先の識別符号が付与されたデータを受信する受信部と、ネットワークにデータを配信する配信部と、複数の前記識別符号のグループを少なくとも１つ記憶する記憶部と、前記記憶部が記憶する前記グループに登録された複数の前記識別符号の全てが、前記受信部が受信した前記配信先の前記識別符号に含まれると、前記配信部が前記グループに対して前記データをマルチキャストで配信し、前記受信部が受信した前記配信先の前記識別符号が前記グループのいずれにも含まれないとユニキャストで配信することを指示する制御部とを備える。【選択図】      図１
2018129741.tif 000002
【特許請求の範囲】
【請求項１】
配信先の識別符号が付与されたデータを受信する受信部と、
ネットワークにデータを配信する配信部と、
複数の前記識別符号のグループを少なくとも１つ記憶する記憶部と、
前記記憶部が記憶する前記グループに登録された複数の前記識別符号の全てが、前記受信部が受信した前記配信先の前記識別符号に含まれると、前記配信部が前記グループに対して前記データをマルチキャストで配信し、前記受信部が受信した前記配信先の前記識別符号が前記グループのいずれにも含まれないとユニキャストで配信することを指示する制御部と
を備えることを特徴とする通信機。
【請求項２】
請求項１に記載の通信機と、
前記ネットワークに接続されて前記端末とマルチキャストおよびユニキャストで通信可能な複数の基地局とを備え、
前記通信機は前記基地局を介して前記端末に前記データを送信する
ことを特徴とする通信システム。
【請求項３】
前記複数の基地局と前記複数の端末は無線で接続され、
前記マルチキャストは３ＧＰＰのＬＴＥ  Ｒｅｌｅａｓｅ９に規定されるＭＢＭＳの技術を用いる
ことを特徴とする請求項２に記載の通信システム。
【請求項４】
配信先の識別符号が付与されたデータを受信し、
複数の前記識別符号のグループを少なくとも１つ記憶し、
前記グループに登録された複数の前記識別符号の全てが前記配信先の前記識別符号に含まれると、前記グループに対して前記データをネットワークにマルチキャストで配信し、前記配信先の前記識別符号が前記グループのいずれにも含まれないと前記ネットワークにユニキャストで配信する
ことを特徴とする通信方法。
【請求項５】
前記マルチキャストは３ＧＰＰのＬＴＥ  Ｒｅｌｅａｓｅ９に規定されるＭＢＭＳの技術を用いる
ことを特徴とする請求項４に記載の通信方法。
【請求項６】
配信先の識別符号が付与されたデータを受信し、
複数の前記識別符号のグループを少なくとも１つ記憶し、
前記グループに登録された複数の前記識別符号の全てが前記配信先の前記識別符号に含まれると、前記グループに対して前記データをネットワークにマルチキャストで配信し、前記配信先の前記識別符号が前記グループのいずれにも含まれないと前記ネットワークにユニキャストで配信する
ことを特徴とするプログラム。
【請求項７】
前記マルチキャストは３ＧＰＰのＬＴＥ  Ｒｅｌｅａｓｅ９に規定されるＭＢＭＳの技術を用いる
ことを特徴とする請求項６に記載のプログラム。
【発明の詳細な説明】
【技術分野】
【０００１】
本発明は、通信機、通信システム、通信方法、およびプログラムに関するものである。
【背景技術】
【０００２】
ＩＰ（Internet Protocol）ネットワークを利用する移動無線通信システムでは、複数の端末へのデータ配信技術としてマルチキャスト（multicast）がある。マルチキャストは、受信を希望する複数の相手にデータを同報配信する技術である。ここで、データは音声の場合を含む。
【０００３】
ＩＰネットワーク内でアドレスを指定して特定の相手にデータを送信するユニキャス
ト（unicast）と比べると、マルチキャストはネットワークの利用効率が良い。
【０００４】
移動無線通信システムの標準化プロジェクトである３ＧＰＰ（Third Generation  Partnership Project）のLTE Release9に規定されるＭＢＭＳ（Multimedia Broadcast Multicast Service）は、マルチキャストを実現する技術である。
【０００５】
ＭＢＭＳによるマルチキャストを利用して、複数の端末を対象としたグループ通信を行うためには、各端末に予め所属するグループ情報を設定しておく必要がある。従って、端末に予めグループ情報設定をしていない場合には、ＭＢＭＳによるマルチキャストを利用出来ないので、ユニキャストによって各端末にデータを同報配信する。
【０００６】
ユニキャストとマルチキャストを切り換える技術について、特許文献１に記載がある。
【先行技術文献】
【特許文献】
【０００７】
【特許文献１】国際公開第２０１０／０６１４８３号
【発明の概要】
【発明が解決しようとする課題】
【０００８】
マルチキャストとユニキャストのどちらを使用してデータを配信するかは、一般的に管理者の判断に委ねられている。そのため、災害など緊急時の対応では、管理者はマルチキャストの対象端末かどうかを咄嗟に判断する時間が無いため、ユニキャストで配信する場合も多い。ユニキャストでのデータ配信は、配信先の端末数に比例した無線リソースを使用するので、システムの無線リソースが枯渇して、接続率の低下を招く恐れがある。
【０００９】
特許文献１の技術は、通信品質の優劣に応じてマルチキャストとユニキャストを切り換える技術であり、上記の課題の解決にはならない。
【００１０】
本発明の目的は、上述した課題を鑑み、複数端末に対するデータ配信を効率よく行う通信機、通信システム、および通信方法を提供することにある。
【課題を解決するための手段】
【００１１】
上記の目的を達成するために、通信機は、配信先の識別符号が付与されたデータを受信する受信部と、ネットワークにデータを配信する配信部と、複数の前記識別符号のグループを少なくとも１つ記憶する記憶部と、前記記憶部が記憶する前記グループに登録された複数の前記識別符号の全てが、前記受信部が受信した前記配信先の前記識別符号に含まれると、前記配信部が前記グループに対して前記データをマルチキャストで配信し、前記受信部が受信した前記配信先の前記識別符号が前記グループのいずれにも含まれないとユニキャストで配信することを指示する制御部とを備える。
【００１２】
上記の目的を達成するために、本発明の通信システムは、配信先の識別符号が付与されたデータを受信する受信部と、ネットワークにデータを配信する配信部と、複数の前記識別符号のグループを少なくとも１つ記憶する記憶部と、前記記憶部が記憶する前記グループに登録された複数の前記識別符号の全てが、前記受信部が受信した前記配信先の前記識別符号に含まれると、前記配信部が前記グループに対して前記データをマルチキャストで配信し、前記受信部が受信した前記配信先の前記識別符号が前記グループのいずれにも含まれないとユニキャストで配信することを指示する制御部とを備える通信機と、前記ネットワークに接続されて前記端末とマルチキャストおよびユニキャストで通信可能な基地局とを備え、前記通信機は前記基地局を介して前記端末に前記データを送信する。
【００１３】
上記の目的を達成するために、本発明の通信方法は、配信先の識別符号が付与されたデータを受信し、複数の前記識別符号のグループを少なくとも１つ記憶し、前記グループに登録された複数の前記識別符号の全てが前記配信先の前記識別符号に含まれると、前記グループに対して前記データをネットワークにマルチキャストで配信し、前記配信先の前記識別符号が前記グループのいずれにも含まれないと前記ネットワークにユニキャストで配信する。
【００１４】
上記の目的を達成するために、本発明のプログラムは、配信先の識別符号が付与されたデータを受信し、複数の前記識別符号のグループを少なくとも１つ記憶し、前記グループに登録された複数の前記識別符号の全てが前記配信先の前記識別符号に含まれると、前記グループに対して前記データをネットワークにマルチキャストで配信し、前記配信先の前記識別符号が前記グループのいずれにも含まれないと前記ネットワークにユニキャストで配信する。
【発明の効果】
【００１５】
本発明によれば、通信機、通信システム、通信方法、およびプログラムは、複数端末に対するデータ配信を効率よく行うことが可能になる。
【図面の簡単な説明】
【００１６】
【図１】第１の実施形態の構成例を示す図である。
【図２】第２の実施形態の構成例を示す図である。
【図３】第２の実施形態の動作を示す図である。
【図４】第２の実施形態の変形例を示す図である。
【発明を実施するための形態】
【００１７】
［第１の実施形態］
次に、本発明の実施の形態について図１を参照して詳細に説明する。
【００１８】
本実施形態の通信機１００は、配信先の識別符号が付与されたデータを受信する受信部１０１と、ネットワークにデータを配信する配信部１０２と、複数の前記識別符号のグループを少なくとも１つ記憶する記憶部１０３と、制御部１０４とを備える。
【００１９】
制御部１０４は、前記記憶部１０３が記憶する前記グループに登録された複数の前記識別符号の全てが、前記受信部１０１が受信した前記配信先の前記識別符号に含まれると、前記配信部１０２が前記グループに対して前記データをマルチキャストで配信する。また、制御部１０４は、前記受信部１０１が受信した前記配信先の前記識別符号が前記グループのいずれにも含まれないとユニキャストで配信することを指示する。
【００２０】
この様にすることで、通信機１００の管理者が指示しなくても、通信機１００は、マルチキャストで配信可能な宛先についてはマルチキャストで配信するので、通信リソースの利用を最小限とすることができる。
【００２１】
以上説明した様に、通信機１００は、複数端末に対するデータ配信を効率よく行うことが可能となる。
［第２の実施形態］
次に、本発明の実施の形態について図２および図３を参照して詳細に説明する。
［構成の説明］
図２に第２の実施形態の構成を示す。
【００２２】
本実施形態の通信システム２００は、配信装置２０１、サーバ２０２、複数の基地局２０３、および複数の端末２０４によって構成される。
【００２３】
配信装置２０１は、音声データを送信する場合は人の声をデータに変換する装置であってもよく、文字などのデータを送信する場合はコンピュータであってもよい。そして、配信装置２０１は、基地局から端末への配信をマルチキャストとするか、ユニキャストとするかを、管理者が選択する機能を有する。
【００２４】
サーバ２０２は、受信部２０２１、配信部２０２２、記憶部２０２３、および制御部２０２４を備える。
【００２５】
サーバ２０２は、通信機と称することもできる。
【００２６】
サーバ２０２は、ＩＰネットワーク２１０に接続されている。
【００２７】
受信部２０２１は、配信装置２０１に接続され、配信装置２０１から配信先の識別符号が付与されたデータを受信する受信手段である。
【００２８】
配信部２０２２は、制御部２０２４の指示に基づいて、ＩＰネットワークに対してデータを配信する送信手段である。
【００２９】
制御部２０２４は、ＣＰＵ（Central Processing Unit；中央処理装置）を含み、サーバ２０２のハードウェアを制御し、ソフトウェア処理を行う。
【００３０】
記憶部２０２３は、記憶素子からなり、情報を記憶する。
【００３１】
基地局２０３は、ＩＰネットワーク２１０に接続されている。そして、基地局２０３は、ユニキャストと、ＭＢＭＳによるマルチキャストの両方によって端末に対してデータを配信することが可能な、３ＧＰＰの無線通信方式を用いる無線機である。
【００３２】
端末２０４は、基地局２０３と無線で通信する無線機である。
［動作の説明］
次に本実施形態のサーバ２０２の動作について図２を参照して説明する。
【００３３】
はじめに、管理者は配信装置２０１を操作して、配信先の端末２０４の識別符号を少なくとも１つ付与してデータを配信することを指示する。この際、基地局２０３から端末２０４へのデータの配信方法をユニキャストとするかどうかを指定する。
【００３４】
サーバ２０２の受信部２０２１は、配信先の端末２０４の識別符号が付与されたデータを受信し、サーバ２０２の制御部２０２４は、ユニキャストが指定されたかどうかを判断する（Ｓ１０１）。
【００３５】
ステップＳ１０１で、ユニキャストであると判断されると（Ｓ１０１でＹ）、ステップＳ１０２にすすむ。
【００３６】
ステップＳ１０１で、ユニキャストでないと判断されると（Ｓ１０１でＮ）、ステップＳ１０６にすすむ。
【００３７】
ステップＳ１０２で、制御部２０２４はデータの配信先の全部のアドレスと、予め記憶部２０２３に記憶されているマルチキャストのグループ配信先のアドレスと比較する（Ｓ１０２）。
【００３８】
そして、制御部２０２４は、配信先のアドレスに、マルチキャストのグループ配信先の全部のアドレスが含まれるかどうかを判断する（Ｓ１０３）。
【００３９】
ステップＳ１０３で、配信先のアドレスに、マルチキャストのグループ配信先の全部のアドレスが含まれると判断されれば（Ｓ１０３でＹ）、ステップＳ１０４にすすむ。
【００４０】
ステップＳ１０３で、配信先のアドレスに、マルチキャストのグループ配信先の全部のアドレスが含まれていないと判断されれば（Ｓ１０３でＮ）、ステップＳ１０７にすすむ。
【００４１】
ステップＳ１０４では、制御部２０２４は、基地局２０３に対してマルチキャストの配信先グループにマルチキャストでデータを配信する指示と共に、ＩＰネットワーク２１０にデータを配信部２０２２から送出する。そして、基地局２０３は、マルチキャストの配信先グループのアドレスを有する端末２０４に対してマルチキャストでデータを配信する（Ｓ１０４）。
【００４２】
そして、ステップＳ１０５で、制御部２０２４は、基地局２０３に対してマルチキャストの配信先グループ以外の配信先の端末２０４にユニキャストでデータを配信する指示と共に、配信部２０２２からＩＰネットワーク２１０にデータを送出する。そして、基地局２０３はマルチキャストの配信先グループ以外の配信先の端末２０４にユニキャストでデータを配信する（Ｓ１０５）。
【００４３】
ステップＳ１０５を実行すると終了する。
【００４４】
ステップＳ１０６では、制御部２０２４は、基地局２０３に対してマルチキャストの配信先グループにマルチキャストでデータを配信する指示と共に、配信部２０２２からＩＰネットワーク２１０にデータを送出する。そして、基地局２０３は、マルチキャストの配信先グループのアドレスを有する端末２０４に対してマルチキャストでデータを配信する（Ｓ１０６）。
【００４５】
ステップＳ１０６を実行すると終了する。
【００４６】
ステップＳ１０７では、制御部２０２４は、基地局２０３に対して送信先のアドレスを有する全部の端末２０４に対してユニキャストでデータを配信する指示と共に、配信部２０２２からＩＰネットワーク２１０にデータを送出する。そして、基地局２０３は送信先アドレスを有する全部の端末２０４に対してユニキャストでデータを配信する（Ｓ１０７）。
【００４７】
ステップＳ１０７を実行すると終了する。
【００４８】
以上が、本実施形態のサーバ２０２の動作である。
【００４９】
本実施形態のサーバ２０２は、配信装置２０１の管理者が、複数の配信先に対してユニキャストでデータを送信しようとしても、サーバ２０２はマルチキャストの配信先グループと一致するアドレスであるかどうかを判断する。そして、管理者が配信先として指定した複数のアドレスの内、マルチキャストの配信先グループの全てのアドレスを含んでいれば、基地局２０３は端末２０４に対してマルチキャストで送信する。そして、マルチキャストの配信先グループ以外のアドレスに対しては、基地局２０３は端末２０４に対してユニキャストで送信する。
【００５０】
この様にすることで、管理者が指示しなくても、サーバ２０２は、マルチキャストで配信可能な宛先についてはマルチキャストで配信するので、通信システム２００において無線リソースの利用を最小限とすることができる。
【００５１】
以上説明した様に、サーバ２０２は、複数端末に対するデータ配信を効率よく行うことが可能となる。
【００５２】
以上、本発明の好適な実施形態を説明したが、上記実施形態に限定されるものではなく、次のように拡張または変形できる。
【００５３】
図４に示す様に、第２の実施形態の配信装置２０１に代えて、受信部２０２１はＩＰネットワーク２１０に接続され、受信部２０２１はＩＰネットワーク２１０から配信先の端末２０４の識別符号が付与されたデータを受信することが出来る。この場合、配信装置２０１に代わって、端末２０４が、配信先である他の端末２０４の識別符号が付与されたデータを送信し、データは基地局２０３を経由してＩＰネットワーク２１０に伝送される。
【００５４】
また、第２の実施形態の基地局２０３と端末２０４は、３ＧＰＰによる規格を用いた無線通信方式で接続していた。しかし、基地局２０３と端末２０４は必ずしも無線で接続される必要はなく、有線のＩＰ接続であってもよい。
【００５５】
更に、第1の実施形態で、アドレス群はアドレス群Ａの１つに限らず、アドレス群は複数であってもよい。
【００５６】
また、本発明は、実施形態の機能を実現する情報処理プログラムが、システム或いは装置に直接或いは遠隔から供給される場合にも適用可能である。
【符号の説明】
【００５７】
１００  通信機
１０１  受信部
１０２  配信部
１０３  記憶部
１０４  制御部
２００  通信システム
２０１  配信装置
２０２  サーバ
２０３  基地局
２０４  端末
２１０  ＩＰネットワーク
２０２１  受信部
２０２２  配信部
２０２３  記憶部
２０２４  制御部
【図１】
2018129741.tif 000003
【図２】
2018129741.tif 000004
【図３】
2018129741.tif 000005
【図４】
2018129741.tif 000006